(57)【特許請求の範囲】
【請求項１】
建物に隣接して設けられるサンルームであって、
前記建物側に形成される空間である囲い部と、前記囲い部に連続して該囲い部のうち前記建物とは反対側に形成される開放部とを備え、
前記囲い部は、立体的に形成された枠組みと、該枠組みの上部に配置される透光性を有する屋根と、前記枠組みの側部に配置され出入り可能に形成された透光性を有する壁面と、を備え、
前記開放部は、前記囲い部から一体に延在する前記屋根の軒下に形成されるとともに、所定の間隔を有して離隔して立設された少なくとも２本の柱と、該２本の柱間を渡して設けられる横材と、を備え、
前記横材は所定の高さ位置に配置されて前記横材と前記屋根との間には間隙が形成される、サンルーム。
【請求項２】
前記開放部には、前記屋根の軒裏から下方に向けて配置され、前記囲い部及び前記開放部の少なくとも上部を室外視から隠蔽可能とする面材を備えることを特徴とする請求項１に記載のサンルーム。
【請求項３】
前記屋根が、軒先方向を長手方向として並列される垂木を備え、前記囲い部の前記枠組みのうち前記垂木に連結される横枠が、前記垂木の長手方向にスライド式に移動可能に構成されることを特徴とする請求項１又は２に記載のサンルーム。
【請求項４】
前記開放部が、前記屋根の軒裏に設けられ、軒先方向とは直交する方向に水平に具備される軒裏横材と、
竿を水平に保持可能とする一対の竿保持部材と、を備え、
前記竿保持部材は、一端が前記軒裏横材に、他端が前記囲い部の前記枠組みの枠体に渡すように取り付けられることを特徴とする請求項１〜３のいずれか一項に記載のサンルーム。
【発明の詳細な説明】
【技術分野】
【０００１】
本発明は、住宅等の建物のテラス等に備えられるサンルームに関し、詳しくは利便性を向上させることができるサンルームに関する。
【背景技術】
【０００２】
近年、住宅等の建物において室内にいる手軽さで、風雨を避けつつ、太陽光を取り入れる等して屋外の快適さを得ることができることからテラスにサンルームを設ける要望が増している。
【０００３】
従来においてテラスに設けられるサンルームは、例えば特許文献１の図１によく表れているように、側面（前面を含む）及び天井面が透明である面材により囲われている形態であった。
【０００４】
【特許文献１】特開２００６−２９９５８９号公報
【発明の開示】
【発明が解決しようとする課題】
【０００５】
しかし、従来のサンルームでは、サンルームとしての上記したような役割を果たすことはできるが、一方で屋外に露出したテラスとしての利点を縮小させてしまうという問題があった。例えば、洗濯物や布団等は晴れていれば屋外に直接干すことが好ましく、従来のサンルームでは窓の解放は可能であるが直接屋外に干すということは困難であった。
【０００６】
そこで、本発明は上記問題点に鑑み、利便性を向上させることができるサンルームを提供することを課題とする。
【課題を解決するための手段】
【０００７】
請求項１に記載の発明は、建物に隣接して設けられるサンルーム（１０、１１０、２１０）であって、建物側に形成される空間である囲い部（Ａ）と、囲い部に連続して該囲い部のうち建物とは反対側に形成される開放部（Ｂ）とを備え、囲い部は、立体的に形成された枠組み（１２、１７、…）と、該枠組みの上部に配置される透光性を有する屋根（４０）と、枠組みの側部に配置され、出入り可能に形成された透光性を有する壁面（５０、６０、７０）と、を備え、開放部は、囲い部から一体に延在する屋根の軒下に形成されるとともに、所定の間隔を有して離隔して立設された少なくとも２本の柱（８１、８１）と、該２本の柱間を渡して設けられる横材（８２）とを備え、横材は所定の高さ位置に配置されて横材と屋根との間には間隙が形成されるサンルームを提供することにより前記課題を解決する。
【０００８】
ここで「枠組みの側部」とは該枠組みの上部及び下部を除く周囲を意味する。従って、該側部が面している方向によってはこれが例えば「前面」や「側面」となることがある。また、「壁面」を構成するものとしては、開閉不可能である面材のみでなく、開閉可能に設けられた開口部装置も含む。また、ここで「サンルーム」はいわゆる建物のテラスに囲いを設けて所定の空間を形成するものを意味し、他の呼称を有する同様のものを含む概念である。
【０００９】
請求項２に記載の発明は、請求項１に記載のサンルーム（１０、１１０、２１０）における開放部（Ｂ）には、屋根（４０）の軒裏から下方に向けて配置され、囲い部（Ａ）及び開放部（Ｂ）の少なくとも上部を室外視から隠蔽可能とする面材（８５）を備えることを特徴とする。
【００１０】
請求項３に記載の発明は、請求項１又は２に記載のサンルーム（１０、１１０、２１０）における屋根（４０）が、軒先方向を長手方向として並列される垂木（４１、４１、…）を備え、囲い部（Ａ）の枠組みのうち垂木に連結される横枠（２０）が、垂木の長手方向にスライド式に移動可能に構成されることを特徴とする。
【００１１】
請求項４に記載の発明は、請求項１〜３のいずれか一項に記載のサンルーム（１１０、２１０）における開放部（Ｂ）が、屋根（４０）の軒裏に設けられ、軒先方向とは直交する方向に水平に具備される軒裏横材（３１）と、竿を水平に保持可能とする一対の竿保持部材（１９０、１９０）とを備え、竿保持部材は、一端が軒裏横材に、他端が囲い部（Ａ）の枠組みの枠体（１７）に渡すように取り付けられることを特徴とする。
【発明の効果】
【００１２】
請求項１の発明によれば、囲い部は従来のサンルームと同様に活用することができるとともに、開放部では直接屋外に布団等を干すことができるので、使用者の利便性を向上させることが可能となる。
【００１３】
請求項２の発明によれば、さらにサンルーム内に干してある洗濯物等を室外視から隠蔽することができる。
【００１４】
請求項３の発明によれば、さらに囲い部の大きさを無段階で調整することができ、要望に見合ったサンルームを提供することができる。
【００１５】
請求項４の発明によれば、さらに物干し竿保持部材を横材に沿って無段階で位置決めして設置することができ、これによっても自由度が高く要望に見合ったサンルームを提供することができる。
【００１６】
本発明のこのような作用及び利得は、次に説明する発明を実施するための最良の形態から明らかにされる。
【発明を実施するための最良の形態】
【００１７】
以下本発明を図面に示す実施形態に基づき説明する。
【００１８】
図１は、第一実施形態にかかる本発明のサンルーム１０の外観斜視図である。また、図２は、サンルーム１０の分解斜視図である。図１、図２、及び適宜示す図を参照しつつサンルーム１０について説明する。図１、図２では見易さのため、同じ部材の繰り返しとなる場合における符号の一部を省略することがある。
【００１９】
サンルーム１０は、基礎部１１を有し、該基礎部１１に備えられる屋根４０、囲い部前面開口部装置５０、囲い部側面開口部装置６０、７０、側面欄間パネル７７、７８、フェンス８０、及びスクリーン８５を備えている。以下各部について説明する。
【００２０】
基礎部１１は、立体的な枠組みを有して形成され、サンルーム１０に備えられる空間を構成する部位である。図３に図２に示した基礎部１１を拡大した図を表した。基礎部１１に上記した各種部材が配置されることによりサンルーム１０が形成される。これにより基礎部１１は、図１にＡ、Ｂで示した囲い部Ａ、及び開放部Ｂを有するものとなる。詳しくは次の通りである。
【００２１】
基礎部１１は、躯体側枠体１２を備えている。該躯体側枠体１２は、躯体側縦枠１３、１４、躯体側上横枠１５、及び躯体側下横枠１６を有し、これが枠状に形成されたものである。
さらに基礎部１１は、躯体側枠体１２に略平行に所定の距離離隔して設けられる囲い部前面枠体１７を備えている。囲い部前面枠体１７は、囲い部前面縦枠１８、１９、囲い部前面上横枠２０、及び囲い部前面下横枠２１が枠状に組み合わされて形成されている。ここで、囲い部前面縦枠１８、１９の下端は下方に枠から突出して形成され、サンルーム１０の足を形成している。
【００２２】
そして、基礎部１１は、躯体側枠体１２と囲い部前面枠体１７とを渡すように、それぞれ、囲い部側面下横枠（妻ばり）２２、２３及び囲い部側面上横枠２４、２５が設けられている。
【００２３】
これにより枠材が立体的に組み合わされた枠組みが形成され、他の部材と組み合わされて囲い部Ａが形成される。また、該枠組みの底部に該当する躯体側下横枠１６、囲い部前面下横枠２１、囲い部側面下横枠２２、２３により囲まれる部位には、躯体側下横枠１６と囲い部前面下横枠２１とを渡すように並列される複数の囲い部根太２６、２６、…が備えられている。さらに、当該根太２６、２６、…が設けられた面の上面側（図１、２における紙面上側）には床面を形成する囲い部床面材２７が敷設されている。
【００２４】
囲い部床面材２７の材質は特に限定されることなく通常の床面材を適用することができる。これには例えば塩化ビニル、人工木、樹脂、フローリング等を挙げることができる。
【００２５】
さらに、基礎部１１は、囲い部前面枠体１７と略平行で所定の距離離隔した位置に開放部前面枠体２８を備えている。開放部前面枠体２８は、開放部前面縦枠２９、３０、開放部前面上横枠（軒裏横材）３１、及び開放部前面下横枠３２が枠状に形成された部材である。ここで、開放部前面縦枠２９、３０の下端は枠から突出して形成され、サンルーム１０の足を形成している。
【００２６】
これにより囲い部Ａに連続しつつ該囲い部Ａとは異なる空間である開放部Ｂが形成される。
【００２７】
そして、囲い部前面枠体１７及び開放部前面枠体２８の下端における縦枠横枠の交差部を渡すように、それぞれ、開放部側面下横枠（妻ばり）３３、３４が設けられている。
【００２８】
また、囲い部前面下横枠２１、開放部前面下横枠３２、及び開放部側面下横枠３３、３４により形成される枠状部分の内側には、囲い部前面下横枠２１と開放部前面下横枠３２とを渡すように複数の開放部根太３５、３５、…配置されている。また、該枠状部分で開放部根太３５、３５、…の上面側（図１、２における紙面上側）には床面を形成する開放部床面材３６が敷設されている。
【００２９】
開放部床面材３６の材質は特に限定されることなく通常の床面材を適用することができる。これには例えば塩化ビニル、人工木、樹脂、フローリング等を挙げることができる。当該開放部床面材３６は、上記した囲い部床面材２７と同じである必要はなく、異なるものを使用することができるので、需要者の選択の幅を広げることができる。
【００３０】
また、囲い部床面材２７と開放部床面材３６の床面の高さは段差が形成されていてもよいし、面一であってもよい。面一又は段差があってもその段差を小さくした場合には、段差を降りることなく屋外（開放部）に出ることが可能となり、いわゆるバリアフリーを構成してその利点を活かすことが可能となる。特に高齢者にとってその利便性を向上させることができる。
【００３１】
また、開放部前面上横枠３１には、囲い部前面上横枠２０とは反対側の面に該開放部前面上横枠３１の長手方向沿って樋が設けられていてもよい。その場合には、当該樋に連通し、地面に水を誘導するパイプが開放部前面縦枠２９に設けられる。
【００３２】
屋根４０は、基礎部１１の上部を覆うように取り付けられる部材である。すなわち屋根４０の軒下部分に開放部Ｂが形成される。屋根４０は、垂木４１、４１、…と、野縁４２、４２、…とパネル４３、４３、…とを備えている。垂木４１、４１、…は、基礎部１１に取り付けられた姿勢で、躯体側上横枠１５と、囲い部前面上横枠２０と、開放部前面上横枠３１とを渡すように設けられる棒状部材で、長手方向を軒先方向に向けて複数並列される。野縁４２、４２、…は、垂木４１、４１、…に直交して格子状となるように並列される棒状部材である。そしてパネル４３、４３、…は、垂木４１、４１、…及び野縁４２、４２、により形成される格子の開口部分に配置される面材である。当該面材の材質は特に限定されるものではないが、サンルームであることの性質上ある程度の透光性を有していることが好ましい。
【００３３】
ここで、躯体側枠体１２、囲い部前面枠体１７、及び開放部前面枠体２８はこの順に最上端の位置が低くなるように形成されている。従って、ここに取り付けられる屋根４０は、これに追随して傾斜して取り付けられる。
【００３４】
囲い部前面開口部装置５０は、上記囲い部前面枠体１７の枠内に収められる開口部装置で、通常の出入りが可能に形成された引戸式の窓である。すなわち、サンルーム１０において枠組みの側部の壁面を構成する部材の１つである。具体的には囲い部前面開口部装置５０は、縦枠５１、５２及び横枠５３、５４により形成された枠状体の内側に４枚の障子５５、５６、５７、５８が引戸式に開閉可能に備えられている。当該開口部装置５０は、通常の建物等に用いられる形態の開口部装置を適用することができる。
【００３５】
囲い部側面開口部装置６０は、躯体側縦枠１３、囲い部前面縦枠１８、囲い部側面下横枠２２、及び囲い部側面上横枠２４により形成される枠状体の内側に配置される開口部装置である。すなわち、サンルーム１０において枠組みの側部の壁面を構成する部材の１つである。囲い部側面開口部装置６０も通常の出入りが可能とされた引戸式の窓である。具体的には、囲い部面開口部装置６０は、縦枠６１、６２及び横枠６３、６４により形成された枠状体の内側に２枚の障子６５、６６が引戸式に開閉可能に備えられている。当該開口部装置６０は、通常の建物等に用いられる形態の開口部装置を適用することができる。
【００３６】
囲い部側面開口部装置７０は、躯体側縦枠１４、囲い部前面縦枠１９、囲い部側面下横枠２３、及び囲い部側面上横枠２５により形成される枠状体の内側に配置される開口部装置である。すなわち、サンルーム１０において枠組みの側部の壁面を構成する部材の１つである。囲い部側面開口部装置７０も通常の出入りが可能とされた引戸式の窓である。具体的には、囲い部面開口部装置７０は、縦枠７１、７２及び横枠７３、７４により形成された枠状体の内側に２枚の障子７５、７６が引戸式に開閉可能に備えられている。当該開口部装置７０は、通常の建物等に用いられる形態の開口部装置を適用することができる。
【００３７】
欄間パネル７７は、囲い部側面上横枠２４と屋根４０との間に形成される、いわゆる欄間部分に配置されるパネルである。すなわち、これもサンルーム１０において枠組みの側部の壁面を構成する部材の１つである。本実施形態では、後述するように屋根４０が建物から傾斜して下がるように配置されるので欄間が略台形形状となり、パネルもこれに合わせて略台形形状となる。同様に、欄間パネル７８は、囲い部側面上横枠２５と屋根４０との間に形成される、いわゆる欄間部分に配置されるパネルである。すなわち、これもサンルーム１０において枠組みの側部の壁面を構成する部材の１つである。本実施形態では、後述するように屋根４０が建物から傾斜して下がるように配置されるので欄間が略台形形状となり、パネルもこれに合わせて略台形形状となる。
【００３８】
フェンス８０は、棒状のフェンス縦材８１、８１、…、と棒状のフェンス上横材８２及びフェンス中間横材８３、８３、…とが格子状に組み合わされて形成された格子面材である。図４に図１に示したフェンス８０を拡大して示した。本実施形態ではフェンス上横材８２はフェンス中間横材８３、８３よりも太く形成され、より強度が高いものとされている。これにより例えば布団等の重量物をここにかけることが可能となる。
【００３９】
フェンス８０の高さ（図１、図２における紙面上下方向）は特に限定されるものではないが、上記のように布団等をここに掛けて仕様する観点から、開放部前面枠体２８の高さの２／３以下とすることが好ましい。あまり高くすると人が布団等をかけることが困難であることによる。
【００４０】
当該フェンス８０は開放部前面枠体２８の一部を塞ぐように開放部前面縦枠２９、３０間に渡して取り付けられる。特にフェンス８０の下端が開放部前面枠体２８の下端に合わせられるように配置される。これによりフェンス８０の上端に人が布団等をかけることができる。
【００４１】
スクリーン８５は、棒状であるスクリーン横材８６、８６、…が複数上下方向に並列された横長の面材である。図５に図１に示したスクリーン８５を拡大して示した。スクリーン８５の横方向（図１、図２における紙面左上から紙面右下方向）大きさは開放部前面枠体２８の横方向の長さと概ね同じである。スクリーン８５の高さ（図１、図２における紙面上下方向）は、特に限定されるものではないが、後述するようにスクリーン８５により特にサンルーム３０内の洗濯物を室外視から隠蔽する観点から、開放部前面枠体２８の高さに対して１／４〜１／１０程度とすることが好ましい。スクリーン８５は、開放部前面枠体２８の特に上端部を塞ぐように屋根４０の軒下から下方に向けて取り付けられる。
【００４２】
以上のような構成のサンルーム１０は、上記構造により次のような特徴を有するものとなる。すなわち、サンルーム１０は、壁面である開口部装置５０、６０、７０及び屋根４０により囲まれた図１にＡで示した部位である囲い部Ａと、屋根４０の軒下に形成され、屋外に開放された図１にＢで示す開放部Ｂとを備える。そして開放部Ｂにおいて、その屋外側には人が布団等をかけることができる高さのフェンス８０（特にフェンス上横材８２）が具備されている。従って、晴れた日には洗濯物や布団等を屋外に直接干すことができる。
【００４３】
また、スクリーン８５は必ずしも備えられる必要はないが、これが備えられることによりサンルーム１０の上部を室外視から隠蔽することが可能となり、例えばかけられた洗濯物を屋外側の視線から隠すことができる。
【００４４】
このように形成されたサンルーム１０は図２にＣで示した建物の開口部装置に対して取り付けられ、具体的には躯体側枠体１２が開口部装置Ｃを囲むように具備される。
【００４５】
ここまで第一実施形態のサンルーム１０について説明したが、サンルーム１０において上記効果を奏するものであれば各部において形態の変更をすることが可能である。例えば、開口部装置（５０、６０、７０）において、サンルーム１０ではいずれも引戸式であるが、スイング式が適用されてもよい。また、フェンスについていえば、布団等を掛けることができればよいとの観点から面材である必要はなく、フェンス上横枠に相当する横材が配置されるのみであってもよい。さらにスクリーンについても本実施形態では横材が上下方向に並列されることにより形成されているが、例えば複数の短い縦棒が左右方向に並列される形態でもよい。
【００４６】
図６は、第一実施形態にかかる本発明のサンルーム１０の変形例であるサンルーム１０’について説明をするための図である。サンルーム１０’は、上記サンルーム１０の構成に加え、これとは異なる囲い部前面上横枠２０’及びこれが取り付けられる屋根４０’の垂木４１’を有する。他の部材についてはサンルーム１０の構成の説明と共通するのでここでは説明を省略する。また符号もサンルーム１０に用いたものを同様に用いる。
【００４７】
図６は、屋根４０’の複数の垂木のうち最も躯体側縦枠１３、囲い部前面縦枠１８、及び開放部前面縦枠２９側に配置された垂木４１’の長手方向に沿った垂直断面図である。また図７は、図６にＤで示した部位を拡大して示した図である。図８は図７にＥ−Ｅで示した矢視断面図である。図６〜図８を参照しつつサンルーム１０’について説明する。
【００４８】
サンルーム１０’では、囲い部前面上横枠２０’が第一横枠２０’ａ及び第二横枠２０’ｂにより形成されている。そして断面が略円形である第二横枠２０’ｂが屋根４０’の垂木４１’に固定部材２０’ｃにより取り付けられ、該第二横枠２０’ｂに第一横枠２０’ａが取り付けられる。第一横枠２０’ａは断面が略台形である。
【００４９】
一方、屋根４０’の垂木４１’は、特に図８からわかるように、その横断面において下面部に左右に延在する被係止片４１’ａ、４１’ａを備えている。被係止片４１’ａ、４１’ａはその先端部が上方に折り曲げられている。
【００５０】
さらにサンルーム１０’には、図８からわかるように断面において一端に略コ字状の部位が設けられ、その一辺の端部から直線状に延在する係止部材２０’ｄ、２０’ｄが備えられている。
【００５１】
かかる構成を有する囲い部前面上横枠２０’と屋根４０’の垂木４１’とは次のように連結される。すなわち、図８からわかるように垂木４１’の下面部と第二横枠２０’ｂの上面とが接触して配置される。さらに、垂木４１’の被係止片４１’ａ、４１’ａの折り曲げられた先端部が係止部材２０’ｄ、２０’ｄのコ字状である端部の内側に係止されるとともに、係止部材２０’ｄ、２０’ｄの直線である平坦部が第二横枠２０’ｂの上面に配置される。そして、固定部材２０’ｃ、２０’ｃにより第二横枠２０’ｂと係止部材２０’ｄ、２０’ｄとが固定される。
【００５２】
これによれば、囲い部前面上横枠２０’と屋根４０’とは係止部材２０’ｄを介して係止して連結されているので、固定部材２０’ｃ、２０’ｃを緩めることにより囲い部前面上横枠２０’は垂木４１’に沿ってスライドして移動することが可能である。従って、囲い部前面上横枠２０’の位置を自由に決めることができる。
【００５３】
図９は第二実施形態にかかる本発明のサンルーム１１０を説明するための図で、サンルーム１１０のうち基礎部１１１のみを示した斜視図である。他の部位はサンルーム１０’と共通するのでその表示及び説明は省略する。また基礎部１１１においても後述する竿保持部材１９０、１９０以外の部位についてはサンルーム１０’と共通するので該サンルーム１０’と共通の符号を付し、その説明は省略する。図１０には竿保持部材１９０の配置された部分に注目したサンルーム１１０の断面図で、該竿保持部材１９０の長手方向に沿った方向の図を示した。
【００５４】
サンルーム１１０は、竿保持部材１９０、１９０を備えている点で、サンルーム１０’と異なっている。竿保持部材１９０、１９０は、２つで一対となっており、これに物干し竿を掛け渡すことにより、該物干し竿を略水平に保持するものである。詳しくは、竿保持部材１９０は、棒状である基体１９１と、該基体１９１の上面に竿を包含して保持可能に形成された凹状の保持部１９２、１９２と、基体１９１の両端に設けられた連結部１９３、１９５と、を備えている。連結部１９３は基体１９１の一端側に設けられ、基体１９１の上面に立設された短尺の棒片１９３ａ及び該棒片１９３ａの端部から略直角に延在する取付片１９３ｂとを備えている。また、連結部１９５は基体１９１の他端側に設けられ、該他端を抱え込むように保持する部材である。
【００５５】
かかる構成の有する竿保持部材１９０、１９０は、次のように取り付けられる。すなわち、図９、図１０からわかるように竿保持部材１９０、１９０は囲い部前面上横枠２０’と、開放部前面上横枠３１とを掛け渡すように配設される。そして、連結部１９３が固定部材１９４により囲い部前面上横枠２０’に連結され、連結部１９５が開放部前面上横枠３１に固定部材１９６により連結される。
【００５６】
すなわち竿保持部材１９０、１９０は、囲い部前面上横枠２０’、及び開放部前面上横枠３１に取り付けられているので、サンルーム１１０の左右方向（図１０における紙面奥／手前方向）のいずれの位置であっても設置することができる。これにより竿保持部材１９０、１９０の位置を自由に選択することが可能となり、利便性を向上させることができる。
【００５７】
図１１は、第三実施形態にかかる本発明のサンルーム２１０の外観斜視図である。サンルーム２１０では、基礎部２１１において、サンルーム１０の基礎部１１に備えられる開放部根太及び開放部床面材を備えていない。このようなサンルームであっても本発明の上記効果を奏するものとすることができる。
【００５８】
図１２は、第四実施形態にかかる本発明のサンルーム３１０の外観斜視図である。サンルーム３１０では、基礎部３１１において、サンルーム１０の基礎部１１に備えられる足に相当する部分がなく、直接に地面に設置される。このようなサンルームであっても本発明の上記効果を奏するものとすることができる。
【００５９】
以上、現時点において、もっとも、実践的であり、かつ、好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴うサンルームもまた本発明の技術的範囲に包含されるものとして理解されなければならない。
【図面の簡単な説明】
【００６０】
【図１】第一実施形態にかかるサンルームの外観斜視図である。
【図２】図１に示したサンルームの分解斜視図である。
【図３】基礎部の斜視図である。
【図４】フェンスの斜視図である。
【図５】スクリーンの斜視図である。
【図６】変形例にかかるサンルームを説明するための断面図である。
【図７】図６の一部を拡大して示した図である。
【図８】図７にＥ−Ｅで示した矢視断面図である。
【図９】第二実施形態にかかるサンルームの基礎部の外観斜視図である。
【図１０】竿保持部材近傍における断面図である。
【図１１】第三実施形態にかかるサンルームの外観斜視図である。
【図１２】第四実施形態にかかるサンルームの外観斜視図である。
【符号の説明】
【００６１】
１０  サンルーム
１１  基礎部
１２  躯体側枠体
１３  躯体側縦枠
１４  躯体側縦枠
１５  躯体側上横枠
１６  躯体側下横枠
１７  囲い部前面枠体
１８  囲い部前面縦枠
１９  囲い部前面縦枠
２０  囲い部前面上横枠
２０’  囲い部前面上横枠
２１  囲い部前面下横枠
２２  囲い部側面下横枠（妻ばり）
２３  囲い部側面下横枠（妻ばり）
２４  囲い部側面上横枠
２５  囲い部側面上横枠
２６  囲い部根太
２７  囲い部床面材
２８  開放部前面枠体
２９  開放部前面縦枠
３０  開放部前面縦枠
３１  開放部前面上横枠（軒裏横材）
３２  開放部前面下横枠
３３  開放部側面下横枠
３４  開放部側面下横枠
３５  開放部根太
３６  開放部床面材
４０  屋根
４１  垂木
４２  野縁
４３  パネル
５０  囲い部前面開口部装置（壁面）
６０  囲い部側部開口部装置（壁面）
７０  囲い部側部開口部装置（壁面）
７７  欄間パネル
７８  欄間パネル
８０  フェンス
８１  フェンス柱
８２  フェンス上横材
８３  フェンス中間横材
８５  スクリーン（面材）
８６  スクリーン横材
１９０  竿保持部材
【図１】
0005235382.tif 000002
【図２】
0005235382.tif 000003
【図３】
0005235382.tif 000004
【図４】
0005235382.tif 000005
【図５】
0005235382.tif 000006
【図６】
0005235382.tif 000007
【図７】
0005235382.tif 000008
【図８】
0005235382.tif 000009
【図９】
0005235382.tif 000010
【図１０】
0005235382.tif 000011
【図１１】
0005235382.tif 000012
【図１２】
0005235382.tif 000013